(57)【特許請求の範囲】
【請求項１】
一方向に延長し且つ、該延長方向と直交する幅方向の部分を、その下面を内側にして湾曲状態に乃至筒状に屈曲させることのできる薄肉の基板と、該基板に後付けされる針状部材とを具えていて、被取付け部に取り付けられる鳥除け具であって、
前記基板は、前記幅方向に所要間隔を置いて、前記延長方向に連続して延び且つ該基板の上面側に突出する突条部が該基板を屈曲して設けられており、該基板は、隣り合う突条部間で屈曲でき、
該突条部は、前記基板の下面で開放され且つ該基板の上面に向けて凹む嵌入溝を有しており、該突条部の頂面部には、前記延長方向に所要間隔を置いて取付け孔が設けられており、
前記針状部材は、前記嵌入溝に嵌入される台座片の上面で、前記頂面部の上方に突出状態となり得る鳥除け針状片の複数本が所要間隔を置いて突設される如くなされており、
前記嵌入溝に嵌入された状態にある前記台座片は、前記頂面部に取り付けられていることを特徴とする鳥除け具。
【請求項２】
前記嵌入溝に嵌入された状態にある前記台座片は、前記頂面部にのみ取り付けられており、前記突条部の側面部と前記台座片の側面とは非固定状態にあって、前記基板が湾曲状態に乃至筒状に屈曲されたときに、該側面部が前記頂面部寄り部位を中心として該側面から離れるように開き得ることを特徴とする請求項１記載の鳥除け具。
【請求項３】
一方向に延長し且つ、該延長方向と直交する幅方向の部分を、その下面を内側にして湾曲状態に乃至筒状に屈曲させることのできる薄肉の基板と、該基板に後付けされる針状部材とを具えていて、被取付け部に取り付けられる鳥除け具であって、
前記基板は、前記幅方向に所要間隔を置いて、前記延長方向に連続して延び且つ該基板の上面側に突出する突条部が該基板を屈曲して設けられており、該基板は、隣り合う突条部間で屈曲でき、
該突条部は、前記基板の下面で開放され且つ該基板の上面に向けて凹む嵌入溝を有しており、該突条部の頂面部には、前記延長方向に所要間隔を置いて取付け孔が設けられており、
前記針状部材は、前記嵌入溝に嵌入される台座片の上面で、前記取付け孔を該基板の下面側から上面側に向けて挿通して該頂面部の上方に突出状態となり得る鳥除け針状片の複数本が所要間隔を置いて突設されており、該鳥除け針状片の根元部分には、前記取付け孔の内周縁部分を嵌め入れる係合凹部が設けられており、
前記嵌入溝に嵌入された状態にある前記台座片は、前記内周縁部分が前記係合凹部に嵌め入れられることによって前記頂面部にのみ取り付けられており、前記突条部の側面部と前記台座片の側面とは非固定状態にあって、前記基板が湾曲状態に乃至筒状に屈曲されたときに、該側面部が前記頂面部寄り部位を中心として該側面から離れるように開き得ることを特徴とする鳥除け具。
【請求項４】
前記鳥除け針状片は前記台座片とは別体であり、該鳥除け針状片の下端面部と該台座片の上面との間で前記頂面部を挾持した状態で、該鳥除け針状片の該下端面部で下方向に突設された軸部が前記取付け孔に下方向に挿通せしめられると共に、該軸部が前記台座片の上面に設けられた凹部に圧入されることによって、或いは該軸部が該凹部に挿入され且つ接着されることによって、前記鳥除け針状片は、前記台座片の上面で、前記頂面部の上方に突出状態となる如く突設されることを特徴とする請求項１記載の鳥除け具。
【請求項５】
前記鳥除け針状片は前記台座片とは別体であり、該鳥除け針状片の下端面部と該台座片の上面との間で前記頂面部を挾持した状態で、該台座片の上面で上方向に突設された軸部が、前記取付け孔に上方向に挿通せしめられると共に、該軸部が前記鳥除け針状片の下端面部に設けられた凹部に圧入されることによって、或いは該軸部が該凹部に挿入され且つ接着されることによって、前記鳥除け針状片は、前記台座片の上面で、前記頂面部の上方に突出状態となる如く突設されることを特徴とする請求項１記載の鳥除け具。
【請求項６】
前記突条部は、前記基板の下面で開放されると共に前記基板の上面に向けて溝幅が小さくなるように凹む台形状を呈し、乃至Ｕ字状を呈する前記嵌入溝を有していることを特徴とする請求項１〜５の何れかに記載の鳥除け具。
【請求項７】
前記基板は、合成樹脂製のシート材を真空成形して形成されていることを特徴とする請求項１〜５の何れかに記載の鳥除け具。
【請求項８】
前記突条部の上面には、光を乱反射させる凹凸部が設けられていることを特徴とする請求項１〜５の何れかに記載の鳥除け具。
【請求項９】
請求項１〜８の何れかに記載の鳥除け具を構成する前記基板の２枚が、前記幅方向で見た左右の側縁部分相互を重ね合わせて連結可能となされており、該左右の側縁部分の夫々には、その長さ方向に所要間隔を置いて連結突片又は連結凹部が設けられており、該連結突片と該連結凹部は前記幅方向で見て対向しており、該連結突片は、前記側縁部分の側縁で開放するように欠切状態に形成した欠切凹部の、該側縁と平行する底辺の長さ方向の中央部分に突設されており、該底辺の長さ方向で見て、該連結突片の突出方向で見た先端縁の長さは該連結突片の基端部の長さよりも長く形成されると共に、該連結突片の突出方向で見た先端縁は、前記側縁の延長線上にあり、又前記連結凹部は、前記側縁部分の側縁を欠切状態にして形成され、該連結凹部の入口部は窄まっており、該入口部の幅は前記先端縁の長さよりも小さく形成されており、連結されるべき前記基板の側縁部分相互を重ね合わせると共に前記連結突片の前記基端部を前記連結凹部に嵌め入れることによって、該側縁部分相互が外れ止めされることを特徴とする鳥除け具。
【請求項１０】
前記基板と前記針状部材は、透明な合成樹脂を用いて形成されていることを特徴とする請求項１〜５の何れかに記載の鳥除け具。
【発明の詳細な説明】
【技術分野】
【０００１】
本発明は、ベランダの手摺りや軒先或いは電線等にカラスや鳩等の鳥類が止まって糞等を落下させる鳥害を防止するための鳥除け具に関するものである。
【背景技術】
【０００２】
ベランダの手摺りや軒先等にカラスや鳩等の鳥類が止まって糞等を落下させ、家屋や各種の建造物、洗濯物、樹木、人等に害を及ぼす鳥害を防止するための従来の鳥除け具の一例としては、特許文献１や特許文献２が開示するものが提案されている。
【０００３】
特許文献１記載の鳥除け具ａ１は、図２６に示すように、合成樹脂製のシート状を呈し且つその厚さ方向に多数の挿通孔ｂが貫設されてなる基板ｃの夫々の挿通孔ｂに針状部材ｄを後付けしてなるものであり、該針状部材ｄは、鳥除け針状片ｅの基端部に係止頭部ｇが設けられていた。そして該針状部材ｄを該基板ｃに後付けするに際しては、該鳥除け針状片ｅを、該挿通孔ｂに該基板ｃの下面側ｈから上面側ｊに向けて挿通し、且つ該係止頭部ｇを該基板ｃの下面ｋに接着固定して行っていた。
【０００４】
又、特許文献２記載の鳥除け具ａ２は、図２７に示すように、合成樹脂を以て一体に射出成形された筒状ホルダｍ付きの基板ｎに、針状部材ｐを後付けしてなるものであり、該筒状ホルダｍは、その内周面の上端側に係合突条ｑが周設されていた。そして該針状部材ｐは、該ホルダｍの内部空所ｒに押し込まれる基部ｓに、前記基板ｎの上方に向かって立設状態となるように鳥除け針状片ｔが突設されており、該基部ｓの上縁部に係合周溝ｕが周設されていた。そして該針状部材ｐを前記基板ｎに後付けするに際しては、図２７（Ｂ）に示すように、該基板ｎに設けられている多数の筒状ホルダｍの内部空所ｒの夫々に前記基部ｓを押し込んで該係合周溝ｕに前記係合突条ｑを嵌合状態に係合させ、これによって、該針状部材ｐを前記ホルダｍに固定していた。
【０００５】
しかしながら、前記特許文献１及び特許文献２記載の鳥除け具ａ１，ａ２は何れも、前記基板ｃ，ｎに前記針状部材ｄ，ｐを後付けするに際して、１本の鳥除け針状片ｅ，ｔを具える針状部材ｄ，ｐを、前記挿通孔ｂの夫々に、又、前記筒状ホルダｍの内部空所ｒの夫々に個別的に取り付けることを要し、前記針状部材ｄ，ｐの取り付け作業が面倒であり作業能率が悪い問題があった。
【０００６】
又、特許文献２記載の鳥除け具ａ２は、前記基板ｎと前記筒状ホルダｍとが一体に射出成形されてなるものであって、基板ｎが比較的厚肉に形成されていたため、該基板ｎを湾曲させることは難しく、例えばベランダの手摺りの湾曲した上面等に該基板ｎをその下面ｖを内側にして湾曲状態に乃至筒状に屈曲させて取り付けるということは本来予定されていなかった。なお該特許文献２には、不要部分を切断するための薄肉条部ｗを基板ｎの下面ｖに設けることが記載されてはいるが、この薄肉条部ｗは、基板ｎを屈曲させるためのものではなかった。
【０００７】
一方、特許文献１記載の鳥除け具ａ１は、基板ｃがシート状を呈し、該基板ｃに設けられている挿通孔ｂに前記針状部材ｄの鳥除け針状片ｅを挿通状態に取り付けると共に、前記係止頭部ｇを該基板ｃの下面ｋに接着固定する構成のものであったため、該シート状の基板ｃが薄肉の場合は、例えばベランダの手摺りの湾曲した上面等に該基板ｃをその下面ｋを内側にして湾曲状態に乃至筒状に屈曲させて取り付けることは可能であるかもしれない。しかしながら、該基板ｃが薄肉であると、該基板ｃによる鳥除け針状片ｅの基端部分ｗの保持が不十分となり易いために、飛来した鳥類が立設状態の鳥除け針状片ｅの上に足を載せたときに該鳥除け針状片ｅが踏み倒され易い問題があった。かかることから、良好な鳥除け効果を達成するためには基板ｃはある程度厚肉に形成する必要があるのであるが、これを厚肉に形成した場合は、これを湾曲状態に乃至筒状に屈曲させることが困難になってしまう。このように特許文献１記載の鳥除け具ａ１は、基板ｃを湾曲状態に乃至筒状に屈曲させて取り付けるということが難しかったのである。
【先行技術文献】
【特許文献】
【０００８】
【特許文献１】特開平１０−４８５５号公報
【特許文献２】実開平５−９１３６８号公報
【発明の概要】
【発明が解決しようとする課題】
【０００９】
本発明は、湾曲状態に乃至筒状に屈曲させるのが容易でありながら鳥除け針状片の保持が安定しており鳥類を効果的に忌避できる鳥除け具の提供を課題とするものである。又本発明は、光の乱反射によって鳥類の忌避効果をより向上させ得る鳥除け具の提供を課題とするものである。更に本発明は、基板相互の連結を容易且つ確実に行うことができて幅広状態で使用し得る鳥除け具の提供を課題とするものである。
【課題を解決するための手段】
【００１０】
前記課題を解決するため、本発明は以下の手段を採用する。
即ち、本発明に係る鳥除け具は、一方向に延長し且つ、該延長方向と直交する幅方向の部分を、その下面を内側にして湾曲状態に乃至筒状に屈曲させることのできる薄肉の基板と、該基板に後付けされる針状部材とを具えていて、被取付け部に取り付けられる鳥除け具であって、前記基板は、前記幅方向に所要間隔を置いて、前記延長方向に連続して延び且つ該基板の上面側に突出する突条部が該基板を屈曲して設けられており、該基板は、隣り合う突条部間で屈曲でき、該突条部は、前記基板の下面で開放され且つ該基板の上面に向けて凹む嵌入溝を有しており、該突条部の頂面部には、前記延長方向に所要間隔を置いて取付け孔が設けられている。又、前記針状部材は、前記嵌入溝に嵌入される台座片の上面で、前記頂面部の上方に突出状態となり得る鳥除け針状片の複数本が所要間隔を置いて突設される如くなされており、前記嵌入溝に嵌入された状態にある前記台座片は、前記頂面部に取り付けられていることを特徴とするものである。
【００１１】
前記鳥除け具において、前記嵌入溝に嵌入された状態にある前記台座片は、前記頂面部にのみ取り付けられたものとし、前記突条部の側面部と前記台座片の側面とは、非固定状態とし、前記基板が湾曲状態に乃至筒状に屈曲されたときに、該側面部が前記頂面部寄り部位を中心として該側面から離れるように開き得るように構成するのがよい。
【００１２】
本発明に係る鳥除け具のより具体的な態様は、一方向に延長し且つ、該延長方向と直交する幅方向の部分を、その下面を内側にして湾曲状態に乃至筒状に屈曲させることのできる薄肉の基板と、該基板に後付けされる針状部材とを具えていて、被取付け部に取り付けられる鳥除け具であって、前記基板は、前記幅方向に所要間隔を置いて、前記延長方向に連続して延び且つ該基板の上面側に突出する突条部が該基板を屈曲して設けられており、該基板は、隣り合う突条部間で屈曲でき、該突条部は、前記基板の下面で開放され且つ該基板の上面に向けて凹む嵌入溝を有しており、該突条部の頂面部には、前記延長方向に所要間隔を置いて取付け孔が設けられている。又、前記針状部材は、前記嵌入溝に嵌入される台座片の上面で、前記取付け孔を該基板の下面側から上面側に向けて挿通して該頂面部の上方に突出状態となり得る鳥除け針状片の複数本が所要間隔を置いて突設されており、該鳥除け針状片の根元部分には、前記取付け孔の内周縁部分を嵌め入れる係合凹部が設けられており、前記嵌入溝に嵌入された状態にある前記台座片は、前記内周縁部分が前記係合凹部に嵌め入れられることによって前記頂面部にのみ取り付けられており、前記突条部の側面部と前記台座片の側面とは非固定状態にあって、前記基板が湾曲状態に乃至筒状に屈曲されたときに、該側面部が前記頂面部寄り部位を中心として該側面から離れるように開き得ることを特徴とするものである。
【００１３】
本発明に係る鳥除け具のより具体的な他の態様としては、前記鳥除け針状片を前記台座片とは別体とし、該鳥除け針状片の下端面部と該台座片の上面との間で前記頂面部を挾持した状態で、該鳥除け針状片の該下端面部で下方向に突設された軸部が前記取付け孔に下方向に挿通せしめられる如くなし、該軸部が前記台座片の上面に設けられた凹部に圧入されることによって、或いは該軸部が該凹部に挿入され且つ接着されることによって、前記鳥除け針状片は、前記台座片の上面で、前記頂面部の上方に突出状態となる如く突設される如く構成したものを挙げることができる。
【００１４】
本発明に係る鳥除け具のより具体的なその他の態様としては、前記鳥除け針状片を前記台座片とは別体とし、該鳥除け針状片の下端面部と該台座片の上面との間で前記頂面部を挾持した状態で、該台座片の上面で上方向に突設された軸部が、前記取付け孔に上方向に挿通せしめられる如くなし、該軸部が前記鳥除け針状片の下端面部に設けられた凹部に圧入されることによって、或いは該軸部が該凹部に挿入され且つ接着されることによって、前記鳥除け針状片は、前記台座片の上面で、前記頂面部の上方に突出状態となる如く突設される如く構成したものを挙げることができる。
【００１５】
前記鳥除け具において、前記突条部は、前記基板の下面で開放されると共に前記基板の上面に向けて溝幅が小さくなるように凹む台形状を呈し、乃至Ｕ字状を呈する前記嵌入溝を有するものとして構成するのがよい。又、前記基板は、合成樹脂のシート材を真空成形して形成するのがよい。又、前記突条部の上面には、光を乱反射させる凹凸部を設けるのがよい。
【００１６】
前記鳥除け具を構成する前記基板の２枚を、前記幅方向で見た左右の側縁部分相互を重ね合わせて連結可能となす場合、次のように構成するのがよい。即ち、該左右の側縁部分の夫々には、その長さ方向に所要間隔を置いて連結突片又は連結凹部が設けられており、該連結突片と該連結凹部は前記幅方向で見て対向しており、該連結突片は、前記側縁部分の側縁で開放するように欠切状態に形成した欠切凹部の、該側縁と平行する底辺の長さ方向の中央部分に突設されており、該底辺の長さ方向で見て、該連結突片の突出方向で見た先端縁の長さは該連結突片の基端部の長さよりも長く形成されると共に、該連結突片の突出方向で見た先端縁は、前記側縁の延長線上にあり、又前記連結凹部は、前記側縁部分の側縁を欠切状態にして形成され、該連結凹部の入口部は窄まっており、該入口部の幅は前記先端縁の長さよりも小さく形成されており、連結されるべき前記基板の側縁部分相互を重ね合わせると共に前記連結突片の前記基端部を前記連結凹部に嵌め入れることによって、該側縁部分相互が外れ止めされるように構成するのがよい。
【００１７】
前記鳥除け具において、前記基板と前記針状部材は、透明な合成樹脂を用いて形成するのがよい。
【発明の効果】
【００１８】
本発明は以下の如き優れた効果を奏する。
(1) 本発明に係る鳥除け具は、湾曲状態に乃至筒状に屈曲させることができる薄肉の基板と、該基板に後付けされる針状部材とを具える。このように鳥除け具は、基板と、鳥除け針状片を有する針状部材とが別体であるために、鳥除け針状片を基板に一体に突設してなる従来の鳥除け具とは異なり、梱包形態をコンパクト化でき、在庫として保管する際や出荷する際のスペース削減を図り得る。
又本発明は、基板と、鳥除け針状片を有する針状部材とが別体であるため、該鳥除け針状片が鳥除けのために有効に機能しない場所や該鳥除け針状片が障害物と干渉する場所においては、針状部材を基板に取り付けないでおくことによって該鳥除け針状片を容易に省略できる。
【００１９】
(2) 本発明に係る鳥除け具を構成する基板は薄肉ではあるが、該基板の幅方向に所要間隔を置いて且つ該基板を屈曲して突条部を設けているため、該突条部の補強作用によって該基板の剛性が向上されている。然も、前記嵌入溝に嵌め入れられた台座片が、その上面で前記頂面部に固定されるため、該台座片が該基板の芯材として機能し、薄肉の基板の剛性が一層向上されている。
従って、前記鳥除け具を、前記基板を湾曲状態に乃至筒状に屈曲して使用する場合にあっても、前記鳥除け針状片が安定状態で突設されることとなり、該鳥除け針状片による鳥類忌避作用が効果的に発揮されることになる。
【００２０】
(3) そして本発明は、鳥除け針状片を台座片の上面で、前記頂面部の上方に突出状態となり得るように突設すると共に、該台座片を、前記嵌入溝に嵌め入れて前記突条部に取り付ける構成を採用している。従って、基板は薄肉ではあっても該基板に対する鳥除け針状片の取り付け強度は高い。この点、薄肉の基板それ自体が鳥除け針状片の根元部分を保持する特許文献１記載の鳥除け具とは異なる。
かかることから、前記薄肉の基板を、例えばベランダの手摺りの湾曲した上面に湾曲状態にして取り付ける場合や、該基板を筒状に屈曲させて電線に巻回状態に取り付ける場合は、該基板の薄肉性によって該基板を湾曲状態に乃至筒状に屈曲させるのが容易でありながら、前記鳥除け針状片を安定的な突設状態となし得、該鳥除け針状片による鳥除け作用が効果的に発揮されることになる。
【００２１】
(4) 本発明は、前記基板に前記針状部材を後付けするに際し、前記台座片を前記嵌入溝に嵌入させる構成を採用している。従って、鳥類が前記鳥除け針状片上に足を載せたときに、前記台座片が傾いて該鳥除け針状片が傾いたときには、該台座片の傾きが、剛性を有する突条部の側面部の内面に該台座片の側面が押圧状態で当接することによって規制されるため、鳥除け針状片の取付け状態が安定した鳥除け具を構成できることとなる。
【００２２】
(5) 前記基板に前記針状部材を取り付ける際、前記鳥除け針状片を、前記突条部の頂面部に設けられている取付け孔に該基板の下面側から上面側に向けて挿通させ且つ、該針状部材の台座片を前記突条部が形成する嵌入溝に嵌め入れ、該鳥除け針状片の根元部分に設けられている係合凹部に前記取付け孔の内周縁部分を嵌め入れる構成を採用するときは、前記基板に対する前記針状部材の取り付けを簡易に行うことができる。
【００２３】
(6) 前記台座片を前記突条部の前記頂面部にのみ固定し、前記突条部の側面部と前記台座片の側面とを非固定状態とするときは、前記基板を、湾曲状態に乃至筒状に屈曲したときに、該側面が、前記頂面部寄り部位を中心として該側面から離れるように開くことができる。このように変形のゆとりがあることから、前記基板を、その幅方向に稍引っ張られた状態で湾曲面等の被取付け面に取り付ける場合、該基板を屈曲させ易くなる。そして、このように側面部が側面から離れるように開いても、鳥除け針状片が突設されてなる前記台座片の上面部分が前記頂面部に安定的に固定されていることから、該鳥除け針状片の基板からの突出状態の安定性は損なわれない。
【００２４】
(7) 前記突条部の上面に、光を乱反射させる凹凸部を設けるときは、光の乱反射によって鳥除け効果をより向上させ得る。
【００２５】
(8) ２枚の基板相互を、その側縁部分相互を重ね合わせると共に、両側縁部分の何れか一方に設けられている連結突片とその他方に設けられている連結凹部とを係合させることによって該両側縁部分相互の外れ止めを図る場合は、複数の鳥除け具が連結されてなる安定構造の鳥除け具連結体を構成でき、より広い範囲に亘って鳥除けできることになる。
【００２６】
(9) 特に、前記基板と前記針状部材を透明に形成する場合は、鳥除け具を目立たなくなし得て美観向上を期し得る。この場合、前記突条部の上面に、光を乱反射させる凹凸部を設ける場合は、乱反射をより効果的に生じさせることができて好ましい。
【００２７】
(10)本発明に係る鳥除け具は、基板を薄肉に形成するため、材料使用量を削減できて経済性向上を期し得る。又、基板に針状部材を後付けする構成を採用するため、該基板を合成樹脂製のシート材を用いて真空成形により簡易に形成することが可能であり、針状部材が一体に設けられている鳥除け具を射出形成によって形成する場合に比し、金型構造を簡素化でき、製造コストの低減を期し得ることとなる。
【図面の簡単な説明】
【００２８】
【図１】本発明に係る鳥除け具を示す斜視図である。
【図２】その鳥除け具を構成する基板と針状部材を示す斜視図である。
【図３】基板を示す断面図と、その取付け孔部分を示す平面図である。
【図４】基板を示す部分拡大斜視図である。
【図５】鳥除け針状片を示す断面図である。
【図６】基板に設けた取付け孔に鳥除け針状片を挿通させている状態を示す断面図である。
【図７】針状部材を基板に取り付けた状態を示す断面図である。
【図８】針状部材を基板に取り付ける過程を示す断面図と、針状部材を基板に取り付けた状態を示す断面図である。
【図９】鳥除け具をベランダの手摺りに取り付けた状態を示す側面図である。
【図１０】鳥除け具をベランダの手摺りに取り付けた状態の他の態様を示す側面図である。
【図１１】鳥除け具を電線に取り付けた状態を示す側面図である。
【図１２】鳥除け具を電線に取り付けた状態の他の態様を示す側面図である。
【図１３】基板相互を連結した状態を示す斜視図と断面図である。
【図１４】基板相互を連結するための連結突片と連結凹部を示す平面図である。
【図１５】基板の一部分に鳥除け針状片が取り付けられていない鳥除け具を示す斜視図である。
【図１６】本発明に係る鳥除け具の他の態様を示す分解斜視図と部分断面図である。
【図１７】本発明に係る鳥除け具のその他の態様を示す分解斜視図と部分断面図である。
【図１８】本発明に係る鳥除け具のその他の態様を示す分解斜視図と、針状部材を示す部分斜視図である。
【図１９】その鳥除け具の部分断面図である。
【図２０】本発明に係る鳥除け具のその他の態様を示す分解斜視図と、針状部材を示す部分斜視図である。
【図２１】その鳥除け具の部分断面図である。
【図２２】本発明に係る鳥除け具のその他の態様を示す分解斜視図と部分断面図である。
【図２３】本発明に係る鳥除け具のその他の態様を示す分解斜視図と部分断面図である。
【図２４】３本の鳥除け針状片を具える針状部材を示す斜視図である。
【図２５】Ｕ字状を呈する嵌入溝に針状部材の台座片を嵌め入れた状態を示す断面図である。
【図２６】従来の鳥除け具の一態様を示す断面図である。
【図２７】従来の鳥除け具の他の態様を示す断面図である。
【発明を実施するための形態】
【実施例１】
【００２９】
図１〜２において本発明に係る鳥除け具１は、ベランダの手摺りや軒先、或いは電線等にカラスや鳩等の鳥類が止まって糞等を落下させる鳥害を防止するために使用されるものであり、一方向に延長する薄肉の例えば長方形板状を呈する基板２と、該基板２に後付けされる針状部材３とを具えており、該基板２への針状部材３の取付けは、ユーザーが自ら行うことができる。
【００３０】
該基板２及び該針状部材３は、本実施例においては透明な合成樹脂を用いて形成されており、例えば、透明なポリプロピレン樹脂を用いて形成されている。
【００３１】
該基板２は、薄肉のものであり、延長方向Ｆ１と直交する幅方向Ｆ２の部分５を、その下面６を内側にして、例えば図９〜１０に示すように、湾曲状態に乃至筒状に屈曲させることができるものである。該基板２の肉厚は、このように湾曲状態に乃至筒状に屈曲させることができるように設定される。本実施例においては弾性的に屈曲させ得るものであり、０．３〜０．７ｍｍ、好ましくは０．４ｍｍ〜０．５ｍｍの厚さを有する薄肉のもので、例えば、合成樹脂製のシート材を真空成形して形成されている。そして該基板２は、図２〜３に示すように、該幅方向Ｆ２に所要間隔を置いて（例えば約１７ｍｍの幅部分７を間に置いて）、該延長方向Ｆ１に連続して延び且つ基板の上面側９に突出する突条部１０の複数条（本実施例においては３条）が設けられており、隣り合う突条部１０，１０間（前記幅部分７）で前記のように屈曲できる。
【００３２】
前記突条部１０は図２〜３に示すように、前記基板２の下面６で開放され且つ該基板２の上面４１に向けて溝幅が稍小さくなる台形状を呈するように凹んで嵌入溝１１が形成されている。そして該突条部１０の頂面部１２には、前記延長方向Ｆ１に所要間隔（例えば、中心間で約５０ｍｍの間隔）Ｌ１を置いて、例えば円形状を呈する取付け孔１３が設けられている。本実施例においては図３（Ｂ）に示すように、該取付け孔１３の内周縁に例えば９０度の角度を置いて円弧状欠切部１５が設けられている。
【００３３】
前記針状部材３は図２、図５〜７に示すように、前記嵌入溝１１に嵌め入れられる台座片１６の上面１７で、前記取付け孔１３を該基板２の下面側１９から上面側９に向けて挿通して前記突条部１０の頂面部１２で突出し得る鳥除け針状片２１の複数本（本実施例においては２本）が所要間隔を置いて突設されている。本実施例においては、２本の鳥除け針状片２１，２１が該上面１７の両端部位で突設されている。該針状部材３は例えば射出成形によって形成される。
【００３４】
該台座片１６は、図７に示すように、前記嵌入溝１１に略密接状態に嵌め入れられる。このように嵌め入れられた状態で、前記突条部１０の側面部２２は前記台座片１６の側面２３に当接乃至近接状態にあり、本実施例においては、該側面部２２の下端縁２５が前記側面２３の下端縁２６に近接した状態とされている。そして該台座片１６の下面２７は、前記基板２の下端面（前記幅部分７の下面）２９から突出しない。本実施例においては、該下面２７と該下端面２９とは略面一状態にある。
【００３５】
該台座片１６は、所要の強度を確保しつつ樹脂量を削減するために、図２、図６〜７に示すように、その対向する側面２３，２３は、その周縁部分３０，３０で囲まれた内側の部分３１，３１が、内方に向けて中央部近傍まで凹むことによって、上下片部３２，３３の幅方向の中央部位相互が立壁部３５で連結されており、横断面Ｉ字状を呈している。該台座片１６の長さは例えば約６０ｍｍに設定されている。
【００３６】
又前記鳥除け針状片２１は、図２、図５に示すように、先端３６に向かうにつれて先細に形成された横断面十字状を呈する針状に形成されている。その突出長さは、カラス等の鳥類が該鳥除け針状片２１上に足を載せた際、足の一部分も、基板２の上面に到達できないように設定されるものであり、例えば５０〜８０ｍｍと長く設定されている。本実施例においては、人が怪我をしないように、鳥除け針状片２１の先端３６を小球状に形成している。なお該鳥除け針状片２１は、鳥類忌避作用を効果的に発揮する限り、先細の円錐針状等の各種の針状形態に構成してもよい。
【００３７】
そして本実施例においては、図７（Ａ）（Ｂ）に示すように、前記鳥除け針状片２１の根元部分３７に設けられている係合凹部（本実施例においては該根元部分３７の周方向に連続する環状連結溝３９ａ）３９に、前記取付け孔１３の内周縁部分（隣り合う前記円弧状欠切部１５，１５間の部分４０ａ）４０を嵌め入れることにより、前記台座片１６は、図７（Ａ）に示すように、前記頂面部１２にのみ固定された状態となり前記突条部１０の側面部２２と前記台座片１６の側面２３とは非固定状態にある。
【００３８】
図６は、前記針状部材３を前記基板２に後付けするに際して、前記鳥除け針状片２１の先側部分２１ａを前記取付け孔１３に、前記基板２の下面側１９から挿通している状態を示している。図８（Ａ）は、該鳥除け針状片２１の前記根元部分３７が前記取付け孔１３に位置した状態を示しており、前記内周縁部分４０の先端部分４０ａが前記根元部分３７の外面３８に押されて上向きに弾性的に屈曲している。その後図８（Ｂ）に示すように、前記内周縁部分４０が前記係合凹部３９に嵌め入れられる。
【００３９】
このように台座片１６が前記頂面部１２に固定されることにより、前記針状部材３が前記基板２に固定状態に後付けされる。これによって、該頂面部１２の上面４１で鳥除け針状片２１が突設された鳥除け具１（図１）が構成される。該鳥除け針状片２１は、特許文献１におけるように、薄肉の基板２だけで保持されるのではなく、該基板２に固定された台座片１６に立設されている。それ故、該基板２が薄肉で剛性が低いものではあっても、該鳥除け針状片２１は該基板２に安定的に突設された状態となる。
【００４０】
又、前記嵌入溝１１に嵌入された状態にある前記台座片１６は、本実施例においては前記頂面部１２にのみ固定されていて、前記突条部１０の側面部２２と前記台座片１６の側面２３とが前記のように非固定状態にあることから、前記基板２が例えば図１０に示すように湾曲状態に屈曲されたときや、図１２に示すように筒状に屈曲されたときに、該側面部２２が前記頂面部寄り部位４２を中心として該側面２３から離れるように開くことができる。このように変形のゆとりがあることから、前記基板２を、幅方向Ｆ２に稍引っ張られた状態で湾曲面等の被取付け面４３に取り付ける場合、該基板２を屈曲させ易くなる。そして、このように側面部２２が側面２３から離れるように開いても、前記台座片１６の上面１７が前記頂面部１２に安定的に固定されていることから、前記鳥除け針状片２１の基板２からの突出状態の安定性は損なわれない。
【００４１】
なお本実施例においては図１〜２、図４に示すように、前記突条部１０の頂面部１２の上面４１に、光を乱反射させる凹凸部４４が適宜設けられている。又、前記基板２の左右の側縁部分４７，４８には、その延長方向Ｆ１に所要間隔を置いて且つ左右対向状態で該延長方向Ｆ１に長い止着孔４５，４５が設けられている。又、前記基板２の前記幅部分７，７に、前記延長方向Ｆ１に所要間隔を置いて水抜き孔４６が設けられている。
【００４２】
又、本実施例においては図１３に示すように、前記鳥除け具１を構成する前記基板２の２枚が、前記幅方向Ｆ２で見た左右の側縁部分４７，４８相互を重ね合わせて連結可能となされている。
【００４３】
そして、前記基板２の長手方向の左右の側縁４９，５０は平行しており、左右の側縁部分４７，４８の夫々に、所要間隔を置いて（例えば２２５ｍｍの間隔を置いて）連結突片５１又は連結凹部５２が設けられている。該連結突片５１と該連結凹部５２は前記幅方向Ｆ２で見て左右対向している。該連結突片５１は、図１４に示すように、前記側縁４９，５０を欠切状態にして形成した欠切凹部５３の、該側縁４９，５０と平行する底辺５５の長さ方向の中央部分に突設されている。該底辺５５の長さ方向で見て、該連結突片５１の突出方向で見た先端縁５６の長さＬ３は、該連結突片５１の基端部５７の長さＬ４よりも稍長く形成されると共に、該連結突片５１の突出方向で見た先端縁５６は、前記側縁４９，５０の延長線上にある。
【００４４】
又、前記連結凹部５２の入口部５９は稍窄まっており、該入口部５９の幅Ｌ５は、前記先端縁５６の長さＬ３よりも小さく形成されている。本実施例においては、該先端縁５６の長さは約２４ｍｍに設定されると共に、該入口部５９の幅Ｌ５は約１６ｍｍに設定されている。
【００４５】
そして、かかる構成を有する基板２，２の縁部分４７，４８相互を図１３に示すように重ね合わせると共に前記連結突片５１の前記基端部５７を前記連結凹部５２に嵌め入れることによって、該縁部分４７，４８相互が外れ止めされる。
【００４６】
前記鳥除け針状片２１の突出長さは、前記のように例えば５０〜８０ｍｍと長く形成されているため、例えば図９〜１０に示すように鳥除け具１を被取付け面４３に設置した状態で、カラス等の鳥類が該鳥除け針状片２１上に足を載せた際、足の一部分も、基板２の上面に到達できない。そのため、飛来した鳥類が該鳥除け針状片２１上に足を載せたときに足裏面や足の側面等に痛みを感じさせることができ、これによって鳥類を忌避できる。又、前記突条部１０の頂面部１２の上面４１に設けられている前記凹凸部４４（図１）が光を乱反射させることから、鳥類の忌避効果をより一層高めることができる。本実施例においては、前記基板２及び前記針状部材３が透明な合成樹脂を用いて形成されているため、鳥除け具１を目立たなくなし得て美観向上を期し得ると共に、該乱反射をより効果的に生じさせることができる。
【００４７】
前記基板２は薄肉であって屈曲し易い利点はあるが剛性が低い。そこで、該基板２の剛性向上を図るために、該基板２を屈曲することによって該基板２の幅方向に所要間隔を置いて突条部１０が並設されている。加えて、前記嵌入溝１１に嵌め入れられた台座片１６が該基板２の芯材としても機能するため、該基板２の剛性がより向上されている。
【００４８】
かかることから、前記鳥除け具１を、前記薄肉の基板２を湾曲状態に乃至筒状に屈曲して使用する場合にあっても、前記鳥除け針状片２１が安定状態で突設されることとなり、該鳥除け針状片２１による鳥類忌避作用が効果的に発揮されることになる。
【００４９】
前記構成を有する鳥除け具１は、例えば図９〜１０に示すように、ベランダの手摺り６１に、前記鳥除け針状片２１を上側に向けて取り付けることができる。この際、前記基板２を、その下面６を内側にすると共に前記鳥除け針状片２１を上方に向けて湾曲させ、これを該手摺り６１の上面部６２としての被取付け面４３に被せ、湾曲した部分６３の縁部分６５，６５相互を、前記止着孔４５を挿通するインシュロックや紐等の結着材６６で結着する。又前記鳥除け具１を、例えば図１１〜１２に示すように電線６７に取り付けるに際しては、前記基板２を、前記鳥除け針状片２１を外側に向けて該電線６７に巻き、その筒状部分６９の端縁部分７０，７０相互を、前記止着孔４５を挿通するインシュロックや紐等の結着材６６で連結する。図１０、図１２は、前記側面部２２が、前記頂面部寄り部位４２を中心として前記側面２３から離れるように開いた状態を示している。
【００５０】
前記鳥除け具１を電線６７に巻回状態に取り付ける場合、筒状の鳥除け具１を電線６７に密着状態に取り付けるのではなく、電線６７よりも直径を大きくして筒状に屈曲させて取り付ければ、該筒状の鳥除け具１は図１１（Ａ）、図１２（Ａ）に矢印で示すように、正逆何れの方向にも回転可能となる。そして、鳥除け針状片２１の一部のものは常に上方向に向くことになる。かかることから、鳥類が該鳥除け針状片２１上に乗ろうとしたときに鳥除け具１は回転して不安定化するので、鳥類が該鳥除け具１上に乗ることができず、効果的に鳥類を忌避できることとなる。
【００５１】
又、前記基板２は薄肉であるために、被取付け面４３の形状や面積に合わせて基板２の形状や大きさを整えんとする際、基板２をナイフや鋏で所要形態に容易に切断できる。
【００５２】
そして前記針状部材３は、図７に示すように、前記鳥除け針状片２１を該基板２の下面側１９から上面側９に向けて挿通させるものとし、前記台座片１６を前記嵌入溝１１に嵌入させる構成を採用している。従って、鳥類が前記鳥除け針状片２１上に足を載せたときに、前記台座片１６が傾いて該鳥除け針状片２１が傾いたときには、該台座片１６の傾きが、剛性を有する突条部１０の側面部２２の内面に該台座片１６の側面２３が押圧状態で当接することによって規制されるため、鳥除け針状片３の取り付け状態が安定した鳥除け具１を構成できることとなる。
【００５３】
本発明は、前記針状部材３を基板２に後付けする構造であるので、基板２を手摺り６１に取り付ける場合において、水平よりも下側に突出する鳥除け針状片２１を省略する場合や、障害物と干渉する場所において鳥除け針状片２１を省略する場合には、例えば図１５に示すように前記針状部材３を基板２に取り付けないでおくことによって、容易に応じ得る。
【００５４】
又、前記構成を有する鳥除け具１は、ベランダの手摺り壁の平坦な上面や、軒先の縁部分の平坦面等の被取付け面４３に、前記基板２を平板状態にして設置し、該基板２を該被取付け面４３に両面粘着テープ等を用いて接着することもできる。
【００５５】
このように基板２を湾曲状態に乃至筒状に屈曲させて使用したり、基板２を平板状態にして設置する際に、基板２，２相互を、図１３に示すように、その側縁部分４７，４８相互を重ね合わせ且つ、前記連結突片５１と前記連結凹部５２とを係合させて連結すれば、鳥除け具１を、用途に応じ幅広状態で使用できる。このように連結されたものを、前記下面６を内側にして前記幅方向Ｆ２の部分５を湾曲状態にし乃至筒状に屈曲させることもできる。
【実施例２】
【００５６】
本発明は、前記実施例で示したものに限定されるものでは決してなく、「特許請求の範囲」の記載内で種々の設計変更が可能であることはいうまでもない。その一例を挙げれば次のようである。
【００５７】
(1) 図１６、図１７、図１８〜１９、図２０〜２１、図２２、図２３は鳥除け具１の他の態様を示すものであり、これらの各図においては、嵌入溝１１に嵌入された状態にある台座片１６は、頂面部１２にのみ取り付けられており、突条部１０の側面部２２と台座片１６の側面２３とは非固定状態にあって、基板２が湾曲状態に乃至筒状に屈曲されたときに、側面部２２が頂面部寄り部位４２を中心として該側面２３から離れるように開き得る。
【００５８】
図１６に示す鳥除け具１においては、前記と同様構成の鳥除け針状片２１と前記台座片１６とが別体に形成されている。該鳥除け針状片２１の下端面部７１と該台座片１６の上面１７との間で前記頂面部１２を挾持した状態で、該鳥除け針状片２１の該下端面部７１で下方向に突設された軸部７２が前記取付け孔１３に下方向に挿通せしめられると共に、該軸部７２が前記台座片１６の上面１７に設けられた凹部（有底凹部又は貫通孔として構成される）７３に圧入されることによって、或いは該軸部７２が該凹部７３に挿入され且つ接着されること等によって、前記鳥除け針状片２１は、前記台座片１６の上面１７で、前記取付け孔１３を挿通した状態で、前記頂面部１２の上方に突出状態となる如く突設される。
【００５９】
(2) 図１７に示す鳥除け具１においては、前記と同様構成の鳥除け針状片２１と前記台座片１６とが別体に形成されている。該鳥除け針状片２１の下端面部７１と該台座片１６の上面１７との間で前記頂面部１２を挾持した状態で、該台座片１６の上面１７で上方向に突設された軸部７５が、前記取付け孔１３に上方向に挿通せしめられると共に、該軸部７５が前記鳥除け針状片２１の下端面部７１に設けられた凹部（有底凹部又は貫通孔として構成される）７６に圧入されることによって、或いは該軸部７５が該凹部７６に挿入され且つ接着されること等によって、前記鳥除け針状片２１は、前記台座片１６の上面１７で、前記取付け孔１３を挿通した状態で、前記頂面部１２の上方に突出状態となる如く突設される。
【００６０】
(3) 図１８〜１９に示す鳥除け具１においては、前記針状部材３は、前記台座片１６の上面１７で、前記と同様構成の鳥除け針状片２１が突設されており、該鳥除け針状片２１が前記取付け孔１３を前記基板２の下面側１９から上面側９に向けて挿通せしめられている。そして、該鳥除け針状片２１の根元部分３７であって前記頂面部１２の上面４１に近接して設けられた係合溝部７７に、Ｕ字状係合片７９が装着されている。該Ｕ字状係合片７９の対向する係合片部８０，８０が該係合溝部７７を対向側から弾性的に挾持することによって、前記針状部材３が前記頂面部１２に取り付けられた状態となる。
【００６１】
(4) 図２０〜２１に示す鳥除け具１においては、前記針状部材３は、前記台座片１６の上面１７で、前記と同様構成の鳥除け針状片２１が突設されており、該鳥除け針状片２１が前記取付け孔１３を前記基板２の下面側１９から上面側９に向けて挿通せしめられている。そして、該鳥除け針状片２１の根元部分３７であって前記頂面部１２の上面４１に近接して設けられた係合孔部８１に係合軸部８２が挿通されて固定されている。そして、該係合軸部８２と前記台座片１６との間で前記頂面部１２が挾まれることによって前記針状部材３が前記頂面部１２に取り付けられた状態となる。
【００６２】
(5) 図２２、図２３に示す鳥除け具１においては、前記鳥除け針状片２１が上面１７で突設される前記台座片１６を、前記突条部１０の頂面部１２に設けた前記取付け孔１３に取り付ける他の態様を示すものである。該台座片１６の上面１７には、前記突条部１０の前記頂面部１２に設けられた取付け孔１３の内周縁部分４０を嵌め入れる係合凹部３９が設けられている。そして、前記嵌入溝１１に嵌入された状態にある前記台座片１６は、前記内周縁部分４０が前記係合凹部３９に嵌め入れられることによって前記頂面部１２にのみ取り付けられている。
このように取り付けられた台座片１６の上面１７で前記鳥除け針状片２１を突設するには、例えば図２２（Ｂ）に示すように、該鳥除け針状片２１の下端面部７１に突設した軸部７２を前記台座片１６の上面１７に設けた凹部（有底凹部又は貫通孔として構成される）７３に圧入することによって、或いは、該軸部７２を該凹部７３に挿入し且つ接着する等によって行うことができる。又例えば図２３（Ｂ）に示すように、前記台座片１６の上面１７で突設した軸部７５を、前記鳥除け針状片２１の下端面部７１に設けた凹部（有底凹部又は貫通孔として構成される）７６に圧入することによって、或いは該軸部７５を該凹部７６に挿入し且つ接着する等によって行うことができる。
【００６３】
(6) 前記突条部１０は複数条設けられるものであり、前記基板２の幅方向に２列設けられたり、４列や５列設けられることもある。
【００６４】
(7) 図２４は、前記台座片１６の上面１７で３本の鳥除け針状片２１，２１，２１を等間隔で突設した状態を示しており、夫々の鳥除け針状片２１は、前記頂面部１２に設けられている３個の取付け孔１３，１３，１３の対応のものに挿通される。前記台座片１６の上面１７には、必要に応じ、４本以上の鳥除け針状片２１が突設されることもある。
【００６５】
(8) 前記被取付け面４３に対する鳥除け具１の取り付けに支障がない限り、前記台座片１６の下面２７が前記基板２の下面６から若干突出したり或いは該下面６から稍浮き上がった状態となることもある。
【００６６】
(9) 該嵌入溝１１への前記台座片１６の嵌め入れを容易化するために、該嵌入溝１１は、図７に示すような台形状を呈する溝や図２５に示すようなＵ字状を呈する溝として構成するのがよいが、これらには限られない。
【００６７】
(10)前記鳥除け針状片２１の根元部分３７に設けられる前記係合凹部３９は、前記のように周方向に連続して設けられることの他、途切れ部を介して周方向に複数に分割された状態で設けられることもある。
【００６８】
(11)前記突条部１０の側面部２２と前記台座片１６の側面２３とが固定状態とされることもある。
【００６９】
(12)前記縁部分４７，４８の夫々に、前記連結突片５１のみが、或いは前記連結凹部５２のみが、所要間隔を置いて設けられると共に、該連結突片５１と該連結凹部５２が左右対向状態とされることもある。
【００７０】
(13)前記基板や前記針状部材の材料は限定されず、鉄板やアルミ板等の金属製等であってもよい。該基板が特に合成樹脂製である場合、該基板は、前記真空成形による他、プレス成形等で形成されることもある。
【符号の説明】
【００７１】
１  鳥除け具
２  基板
３  針状部材
５  幅方向の部分
６  下面
７  幅部分
９  上面側
１０  突条部
１１  嵌入溝
１２  頂面部
１３  取付け孔
１５  円弧状欠切部
１６  台座片
１７  上面
１９  下面側
２１  鳥除け針状片
２２  側面部
２３  側面
２７  下面
３９  係合凹部
４０  内周縁部分
４１  上面
４２  頂面部寄り部位
４３  被取付け面
４４  凹凸部
４７  側縁部分
４８  側縁部分
５１  連結突片
５２  連結凹部
５３  欠切凹部
５９  入口部
６１  手摺り
６７  電線
【図１】
0005379251.tif 000002
【図２】
0005379251.tif 000003
【図３】
0005379251.tif 000004
【図４】
0005379251.tif 000005
【図５】
0005379251.tif 000006
【図６】
0005379251.tif 000007
【図７】
0005379251.tif 000008
【図８】
0005379251.tif 000009
【図９】
0005379251.tif 000010
【図１０】
0005379251.tif 000011
【図１１】
0005379251.tif 000012
【図１２】
0005379251.tif 000013
【図１３】
0005379251.tif 000014
【図１４】
0005379251.tif 000015
【図１５】
0005379251.tif 000016
【図１６】
0005379251.tif 000017
【図１７】
0005379251.tif 000018
【図１８】
0005379251.tif 000019
【図１９】
0005379251.tif 000020
【図２０】
0005379251.tif 000021
【図２１】
0005379251.tif 000022
【図２２】
0005379251.tif 000023
【図２３】
0005379251.tif 000024
【図２４】
0005379251.tif 000025
【図２５】
0005379251.tif 000026
【図２６】
0005379251.tif 000027
【図２７】
0005379251.tif 000028